(57)【要約】【課題】服本体に対する収容袋の取付位置や取付方法を数多くのパターンにて変更可能に構成されるとともに、服本体から取り外された収容袋のみの状態でも有効利用可能に構成された収容袋及び当該収容袋を備えた衣服を提供する。【解決手段】ポケット１は、袋本体部３と接続部６とを備える。袋本体部３は、未使用状態で扁平に対面する一方、使用状態で互いに離間して上方に開口する収容部３ａが内部に形成されるとともに、異なる意匠面４ａ，５ａがそれぞれの外面に設けられた表面部４及び裏面部５を有する。接続部６は、袋本体部３に正面視で矩形状の各頂点の配置となるように４つ設けられ、互いに係脱可能に構成された雄型スナップボタン７及び雌型スナップボタン８を有す。雄型スナップボタン７は表面部４の外面に配置される一方、雌型スナップボタン８は裏面部５の外面に配置され、互いに対応する位置となっている。【選択図】図６
2020125555.tif 000002
【特許請求の範囲】
【請求項１】
未使用状態で扁平に対面する一方、使用状態で互いに離間して上方に開口する収容部が内部に形成されるとともに、異なる意匠面がそれぞれの外面に設けられた表面部及び裏面部を有する袋本体部と、
互いに係脱可能に構成された係合部及び被係合部を有し、上記係合部が上記表面部の外面及び上記裏面部の外面の互いに対応する位置のいずれか一方に配置される一方、上記被係合部が上記表面部の外面及び上記裏面部の外面の互いに対応する位置のいずれか他方に配置された接続部とを備え、
該接続部は、上記袋本体部に正面視で矩形状の各頂点の配置となるように４つ設けられていることを特徴とする収容袋。
【請求項２】
請求項１に記載の収容袋において、
上記係合部は、雄型スナップボタンであり、
上記被係合部は、雌型スナップボタンであることを特徴とする収容袋。
【請求項３】
請求項１又は２に記載の少なくとも１つの収容袋と、
該収容袋を取り付ける服本体とを備え、
該服本体には、上記接続部が接続可能な上記係合部及び上記被係合部の少なくとも一方からなる被接続部が複数配置されていることを特徴とする衣服。
【請求項４】
請求項３に記載の衣服において、
上記被接続部は、格子状に並ぶ格子点の配置となるように上記服本体に複数設けられ、
該服本体は、上記収容袋における４つの接続部にそれぞれ対応する位置関係となるように配置された４つの上記被接続部からなる取付部が複数設けられ、
該各取付部には、上記各被接続部の係合部及び／又は被係合部の配置パターンが、上記収容袋における上記表面部の係合部及び／又は被係合部の配置パターンＡと同じである第１パターン部と、上記収容袋における上記裏面部の係合部及び／又は被係合部の配置パターンＢと同じである第２パターン部との少なくとも一方であることを特徴とする衣服。
【請求項５】
請求項４に記載の衣服において、
上記各接続部は、上下左右に等間隔に配置され、且つ、上側２つの接続部の上記裏面部側に被係合部が設けられるとともに下側２つの接続部の上記裏面部側に係合部が設けられ、
上記各被接続部は、格子状に上下左右に等間隔に並ぶ格子点の配置で、且つ、上記係合部が左右方向に連続的に並ぶ第１列と上記被係合部が左右方向に連続的に並ぶ第２列とが上下方向に交互に並ぶ配置になっていることを特徴とする衣服。
【発明の詳細な説明】
【技術分野】
【０００１】
本発明は、収容物を収容可能な収容袋及び収容袋を備えた衣服に関する。
【背景技術】
【０００２】
従来より、例えば、特許文献１に開示されているように、収容物を収容可能な収容袋（ポケット）を服本体に着脱可能な衣服が知られている。該衣服は、互いに係脱可能なループ状面ファスナー及びフック状面ファスナーを有し、服本体表面に多数のループ状面ファスナーが取り付けられる一方、収容袋の裏面にフック状面ファスナーが取り付けられていて、収容袋のフック状面ファスナーを服本体表面の所定のループ状面ファスナーに係合させることにより、服本体の所望の位置に収容袋を配置することができるようになっている。
【先行技術文献】
【特許文献】
【０００３】
【特許文献１】実用新案登録第３１８６５７４号公報
【発明の概要】
【発明が解決しようとする課題】
【０００４】
ところで、特許文献１においては、収容袋が服本体に取り付けられた状態で使用されているが、収容袋を服本体から切り離した状態においても有効に活用したいという要望がある。
【０００５】
また、収容袋を服本体の所望の位置に配置する際に、取付位置や取付方法等を工夫して独創性を有する衣服にすることにより、衣服を着る楽しみだけでなく衣服を作る楽しみも得たいという要望もある。
【０００６】
本発明は、斯かる点に鑑みてなされたものであり、その目的とするところは、服本体に対する収容袋の取付位置や取付方法を数多くのパターンにて変更可能に構成されるとともに、服本体から取り外された収容袋のみの状態でも有効利用可能に構成された収容袋及び当該収容袋を備えた衣服を提供することにある。
【課題を解決するための手段】
【０００７】
上記の目的を達成するために、本発明は、収容袋の表面側及び裏面側の各意匠面を異なるものにするとともに、収容袋を表面側と裏面側とのどちらからでも他の収容袋又は服本体に対して接続可能となるよう工夫を凝らしたことを特徴とする。
【０００８】
具体的には、収容物を収容可能な収容袋において、次のような解決手段を講じた。
【０００９】
すなわち、第１の発明では、未使用状態で扁平に対面する一方、使用状態で互いに離間して上方に開口する収容部が内部に形成されるとともに、異なる意匠面がそれぞれの外面に設けられた表面部及び裏面部を有する袋本体部と、互いに係脱可能に構成された係合部及び被係合部を有し、上記係合部が上記表面部の外面及び上記裏面部の外面の互いに対応する位置のいずれか一方に配置される一方、上記被係合部が上記表面部の外面及び上記裏面部の外面の互いに対応する位置のいずれか他方に配置された接続部とを備え、該接続部は、上記袋本体部に正面視で矩形状の各頂点の配置となるように４つ設けられていることを特徴とする。
【００１０】
第２の発明では、第１の発明において、上記係合部は、雄型スナップボタンであり、上記被係合部は、雌型スナップボタンであることを特徴とする。
【００１１】
また、本発明は、収容袋を備えた衣服をも対象とし、次のような解決手段を講じた。
【００１２】
すなわち、第３の発明では、第１又は第２の発明の少なくとも１つの収容袋と、該収容袋を取り付ける服本体とを備え、該服本体には、上記接続部が接続可能な上記係合部及び上記被係合部の少なくとも一方からなる被接続部が複数配置されていることを特徴とする。
【００１３】
第４の発明では、第３の発明において、上記被接続部は、格子状に並ぶ格子点の配置となるように上記服本体に複数設けられ、該服本体は、上記収容袋における４つの接続部にそれぞれ対応する位置関係となるように配置された４つの上記被接続部からなる取付部が複数設けられ、該各取付部には、上記各被接続部の係合部及び／又は被係合部の配置パターンが、上記収容袋における上記表面部の係合部及び／又は被係合部の配置パターンＡと同じである第１パターン部と、上記収容袋における上記裏面部の係合部及び／又は被係合部の配置パターンＢと同じである第２パターン部との少なくとも一方であることを特徴とする。
【００１４】
第５の発明では、第４の発明において、上記各接続部は、上下左右に等間隔に配置され、且つ、上側２つの接続部の上記裏面部側に被係合部が設けられるとともに下側２つの接続部の上記裏面部側に係合部が設けられ、上記各被接続部は、格子状に上下左右に等間隔に並ぶ格子点の配置で、且つ、上記係合部が左右方向に連続的に並ぶ第１列と上記被係合部が左右方向に連続的に並ぶ第２列とが上下方向に交互に並ぶ配置になっていることを特徴とする。
【発明の効果】
【００１５】
第１の発明では、収容袋を２つ重なるように並べると、両収容袋の一方の表面部の係合部及び／又は被係合部に他方の裏面部の被係合部及び／又は係合部がそれぞれ対応した位置になる。したがって、収容袋を複数重なるように並べると、各収容袋の表面部の各接続部を隣設する収容袋の裏面部の各接続部に一端から他端に向けて直列に接続することが可能になるので、収容袋を有効利用して使用者が所望する収容量の収容体にすることができる。
【００１６】
第２の発明では、各収容袋同士を取り付けたり、或いは、取り外したりする作業が簡単になるので、使い勝手の良い収容袋にすることができる。
【００１７】
第３の発明では、収容袋の裏面部に設けられた係合部及び／又は被係合部を服本体の所望の位置の被係合部及び／又は係合部にそれぞれ係合させると、使用者が所望する服本体の位置に表面部の意匠面が見えるように収容袋が配置されるようになる。一方、収容袋の表面部に設けられた係合部及び／又は被係合部を服本体の所望の位置の被係合部及び／又は係合部にそれぞれ係合させると、使用者が所望する服本体の位置に裏面部の意匠面が見えるように収容袋が配置されるようになる。このように、服本体に対する収容袋の取付位置や取付方法を数多くのパターンにて変更可能に構成されているので、使用者が自分の好みの意匠である衣服となるように収容袋を取り付けて楽しむことができる。
【００１８】
第４の発明では、各取付部における第１パターン部には、表面部の意匠面が見えるように収容袋が取付可能である一方、各取付部における第２パターン部には、裏面部の意匠面が見えるように収容袋が取付可能であり、さらには、第１パターン部及び第２パターン部は、格子状に並んで設けられているので、第１パターン部及び／又は第２パターン部に取り付けられた各収容袋が格子状に整列する配置になり、特徴的な意匠性を有する衣服にすることができる。
【００１９】
第５の発明では、各被接続部の第１列が上側で第２列が下側の領域には、表面部の意匠面が見えるように各収容袋を取り付けることができるとともに、左右方向に隣り合う２つの収容袋を重ねて取り付けることもできるようになる。一方、各被接続部の第２列が上側で第１列が下側の領域には、裏面部の意匠面が見えるように各収容袋を取り付けることができるとともに、左右方向に隣り合う２つの収容袋を重ねて取り付けることもできるようになる。さらに、上下方向に隣り合う２つの収容袋を、各被接続部の第１列が上側で第２列が下側の領域と各被接続部の第２列が上側で第１列が下側の領域とにおいて重ねて取り付けることができるようになる。このように、各収容袋を重ねながら、且つ、意匠面を変えながら格子状に整列する配置で服本体に取り付けることができるので、さらに特徴的な意匠性を有する衣服にすることができる。
【図面の簡単な説明】
【００２０】
【図１】本発明の実施形態における収容袋を備えた衣服の斜視図である。
【図２】本発明の実施形態における収容袋を備えた衣服の正面図である。
【図３】本発明の実施形態における収容袋を服本体に取り付ける直前の状態を示す正面図である。
【図４】図２のIV−IV線における断面図である。
【図５】図２のV−V線における断面図である。
【図６】本発明の実施形態における収容袋を複数連結して収容体にした状態を示す斜視図である。
【図７】図２の衣服にさらに複数の収容袋を取り付けた状態を示す図である。
【図８】図７のVIII−VIII線における断面図である。
【図９】図７のIX−IX線における断面図である。
【発明を実施するための形態】
【００２１】
以下、本発明の実施形態を図面に基づいて詳細に説明する。尚、以下の好ましい実施形態の説明は、本質的に例示に過ぎない。
【００２２】
図１及び図２は、本発明の実施形態に係るポケット１（収容袋）を４つ備えたシャツ１０（衣服）を示す。該シャツ１０は、正面視で略Ｔ字状をなす服本体２を備え、当該服本体２に上記ポケット１を着脱できるようになっている。
【００２３】
ポケット１は、平面視で矩形状をなす袋本体部３を備え、該袋本体部３は、未使用状態で扁平に対面する一方、使用状態で互いに離間して上方に開口する収容部３ａが内部に形成される表面部４及び裏面部５を有している。
【００２４】
表面部４及び裏面部５には、異なる意匠面４ａ，５ａがそれぞれの外面に設けられ、図３に示すように、表面部４における意匠面４ａの意匠は丸印であり、裏面部５における意匠面５ａの意匠はバツ印となっている。尚、各意匠面４ａ，５ａの意匠はその他の意匠であってもよい。
【００２５】
袋本体部３には、ポケット１を服本体２か、或いは、その他のポケット１に接続するための接続部６が袋本体部３の四隅にそれぞれ設けられ、上下左右に等間隔に配置されている。
【００２６】
すなわち、接続部６は、袋本体部３に正面視で矩形状の各頂点の配置となるように４つ設けられている。
【００２７】
接続部６は、図４及び図５に示すように、互いに係脱可能に構成された雄型スナップボタン７（係合部）及び雌型スナップボタン８（被係合部）を有している。
【００２８】
上側に位置する２つの接続部６の各々は、雄型スナップボタン７が表面部４の外面に、雌型スナップボタン８が裏面部５の外面にそれぞれ配置され、雄型スナップボタン７及び雌型スナップボタン８は、互いに対応する位置となっている。
【００２９】
一方、下側に位置する２つの接続部６の各々は、雌型スナップボタン８が表面部４の外面に、雄型スナップボタン７が裏面部５の外面にそれぞれ配置され、雄型スナップボタン７及び雌型スナップボタン８は、互いに対応する位置となっている。
【００３０】
尚、以下では、ポケット１の表面部４において雄型スナップボタン７が上側２つに位置し、雌型スナップボタン８が下側２つに位置する配置を配置パターンＡと呼び、ポケット１の裏面部５において雌型スナップボタン８が上側２つに位置し、雄型スナップボタン７が下側２つに位置する配置を配置パターンＢと呼ぶことにする。
【００３１】
ポケット１は、図６に示すように、接続部６により複数連結させて収容体１２を組み立てることができるようになっている。
【００３２】
該収容体１２は、隣り合う２つのポケット１の一方のポケット１の表面部４が他方のポケット１の裏面部５に対面するように複数のポケット１を並設し、隣り合う２つのポケット１の一方のポケット１の表面部４の２つの雄型スナップボタン７を他方のポケット１の裏面部５の２つの雌型スナップボタン８にそれぞれ係合させるとともに、隣り合う２つのポケット１の他方のポケット１の裏面部５の２つの雄型スナップボタン７を一方のポケット１の表面部４の２つの雌型スナップボタン８にそれぞれ係合させることにより、組み立てられるようになっている。
【００３３】
服本体２には、図３に示すように、接続部６を接続可能な被接続部９が複数取り付けられ、該各被接続部９は、格子状に上下左右に等間隔に並ぶ格子点の配置になっている。
【００３４】
各被接続部９は、雄型スナップボタン７が左右方向に連続的に４つ並ぶ第１列９Ａと、雌型スナップボタン８が左右方向に連続的に４つ並ぶ第２列９Ｂとが上下方向に交互に６つ並ぶ配置になっている。
【００３５】
すなわち、各被接続部９における矩形状の頂点の位置となるように隣り合う４つの被接続部９は、ポケット１における４つの接続部６にそれぞれ対応する位置関係になっていて、本発明の取付部１１を構成している。
【００３６】
例えば、第１列９Ａの左側２つの被接続部９と当該第１列９Ａの下側に位置する第２列９Ｂの左側２つの被接続部９とからなる取付部１１は、雄型スナップボタン７及び雌型スナップボタン８の配置パターンが上記配置パターンＡと同じである第１パターン部１１Ａになっていて、第２列９Ｂの左側２つの被接続部９と当該第２列９Ｂの下側に位置する第１列９Ａの左側２つの被接続部９とからなる取付部１１は、雄型スナップボタン７及び雌型スナップボタン８の配置パターンが上記配置パターンＢと同じである第２パターン部１１Ｂになっている。
【００３７】
つまり、服本体２には、第１パターン部１１Ａ及び第２パターン部１１Ｂが複数設けられていて、第１パターン部１１Ａの２つの雄型スナップボタン７をポケット１の裏面部５の２つの雌型スナップボタン８にそれぞれ係合させるとともに、ポケット１の裏面部５の２つの雄型スナップボタン７を第１パターン部１１Ａの２つの雌型スナップボタン８にそれぞれ係合させることにより、表面部４の意匠面４ａが見えるように服本体２の第１パターン部１１Ａにポケット１を取り付けることができるようになっている。
【００３８】
また、第２パターン部１１Ｂの２つの雄型スナップボタン７をポケット１の表面部４の２つの雌型スナップボタン８にそれぞれ係合させるとともに、ポケット１の表面部４の２つの雄型スナップボタン７を第２パターン部１１Ｂの２つの雌型スナップボタン８にそれぞれ係合させることにより、裏面部５の意匠面５ａが見えるように服本体２の第２パターン部１１Ｂにポケット１を取り付けることができるようになっている。
【００３９】
図７乃至図９は、服本体２に複数のポケット１を取り付けて完成させたシャツ１０の一例を示す。
【００４０】
該シャツ１０は、以下の手順で完成させた。まず、服本体２の上段の第１列９Ａ及び第２列９Ｂにおける左側の４つの被接続部９（第１パターン部１１Ａ）と右側の４つの被接続部９（第１パターン部１１Ａ）とに表面部４の意匠面４ａが見えるようにそれぞれポケット１を取り付ける。次に、服本体２の中段の第１列９Ａ及び第２列９Ｂにおける左側の４つの被接続部９（第１パターン部１１Ａ）と右側の４つの被接続部９（第１パターン部１１Ａ）とに表面部４の意匠面４ａが見えるようにそれぞれポケット１を取り付ける。次いで、服本体２の下段の第１列９Ａ及び第２列９Ｂにおける中央部分の４つの被接続部９（第１パターン部１１Ａ）に表面部４の意匠面４ａが見えるようにポケット１を取り付ける。
【００４１】
しかる後、服本体２の上段左側に取り付けたポケット１の下側２つの接続部６と中段左側に取り付けたポケット１の上側２つの接続部６とで構成される第２パターン部１１Ｂに裏面部５の意匠面５ａが見えるようにポケット１を取り付けた後、当該取り付けたポケット１の右側２つの接続部６、上段右側に取り付けたポケット１の下方左側の接続部６、及び、中段右側に取り付けられたポケット１の上方左側の接続部６で構成される第２パターン部１１Ｂに裏面部５の意匠面５ａが見えるようにポケット１を取り付けてシャツ１０を完成させた。
【００４２】
以上より、本発明の実施形態によると、ポケット１を２つ重なるように並べると、一方のポケット１の表面部４の雄型スナップボタン７及び雌型スナップボタン８に他方のポケット１の裏面部５の雌型スナップボタン８及び雄型スナップボタン７がそれぞれ対応した位置になる。したがって、ポケット１を複数重なるように並べると、各ポケット１の表面部４の各接続部６を隣設するポケット１の裏面部５の各接続部６に一端から他端に向けて直列に接続することが可能になるので、ポケット１を有効利用して使用者が所望する収容量の収容体１２にすることができる。
【００４３】
また、接続部６同士の接続に雄型スナップボタン７と雌型スナップボタン８とを用いているので、各ポケット１同士を取り付けたり、或いは、取り外したりする作業が簡単になり、使い勝手の良いポケット１にすることができる。
【００４４】
また、ポケット１の裏面部５に設けられた雄型スナップボタン７及び雌型スナップボタン８を服本体２の所望の位置の雌型スナップボタン８及び雄型スナップボタン７にそれぞれ係合させると、使用者が所望する服本体２の位置に表面部４の意匠面４ａが見えるようにポケット１が配置されるようになる。一方、ポケット１の表面部４に設けられた雄型スナップボタン７及び雌型スナップボタン８を服本体２の所望の位置の雌型スナップボタン８及び雄型スナップボタン７にそれぞれ係合させると、使用者が所望する服本体２の位置に裏面部５の意匠面５ａが見えるようにポケット１が配置されるようになる。このように、服本体２に対するポケット１の取付位置や取付方法を数多くのパターンにて変更可能に構成されているので、使用者が自分の好みの意匠であるシャツ１０となるようにポケット１を取り付けて楽しむことができる。
【００４５】
また、各取付部１１における第１パターン部１１Ａには、表面部４の意匠面４ａが見えるようにポケット１が取付可能である一方、各取付部１１における第２パターン部１１Ｂには、裏面部５の意匠面５ａが見えるようにポケット１が取付可能であり、さらには、第１パターン部１１Ａ及び第２パターン部１１Ｂは、格子状に並んで設けられているので、第１パターン部１１Ａ及び第２パターン部１１Ｂに取り付けられたポケット１が格子状に整列する配置になり、特徴的な意匠性を有するシャツ１０にすることができる。
【００４６】
また、各被接続部９の第１列９Ａが上側で第２列９Ｂが下側の領域には、表面部４の意匠面４ａが見えるように各ポケット１を取り付けることができるとともに、左右方向に隣り合う２つのポケット１を重ねて取り付けることもできるようになる。一方、各被接続部９の第２列９Ｂが上側で第１列９Ａが下側の領域には、裏面部５の意匠面５ａが見えるように各ポケット１を取り付けることができるとともに、左右方向に隣り合う２つのポケット１を重ねて取り付けることもできるようになる。さらに、上下方向に隣り合う２つのポケット１を、各被接続部９の第１列９Ａが上側で第２列９Ｂが下側の領域と各被接続部９の第２列９Ｂが上側で第１列９Ａが下側の領域とにおいて重ねて取り付けることができるようになる。このように、各ポケット１を重ねながら、且つ、意匠面を変えながら格子状に整列する配置で服本体２に取り付けることができるので、さらに特徴的な意匠性を有するシャツ１０にすることができる。
【００４７】
尚、本発明の実施形態では、ポケット１における表面部４の上側２つが雄型スナップボタン７である一方、下側２つが雌型スナップボタン８であり、裏面部５の上側２つが雌型スナップボタン８である一方、下側２つが雄型スナップボタン７であるが、ポケット１における表面部４の上側２つが雌型スナップボタン８である一方、下側２つが雄型スナップボタン７であり、裏面部５の上側２つが雄型スナップボタン７である一方、下側２つが雌型スナップボタン８であってもよいし、表面部４の４つ全てが雄型スナップボタン７である一方、裏面部５の４つ全てが雌型スナップボタン８であるか、或いは、表面部４の４つ全てが雌型スナップボタン８である一方、裏面部５の４つ全てが雄型スナップボタン７であってもよい。
【００４８】
また、本発明の実施形態では、ポケット１の４つの接続部６の全てをその他のポケット１の接続部６や服本体２の被接続部９に接続させているが、ポケット１を服本体２に取り付ける際に全ての接続部６をその他のポケット１の接続部６や服本体２の被接続部９に接続させる必要は無い。
【００４９】
また、本発明の実施形態では、接続部６を構成する係合部及び被係合部として、雄型スナップボタン７及び雌型スナップボタン８を用いたが、これに限らず、他の種類のボタンや面ファスナー、磁石といったその他の係脱可能な構造でも代用することができる。
【００５０】
また、本発明の実施形態では、服本体２には、被接続部９として雄型スナップボタン７及び雌型スナップボタン８の両方が配置されているが、被接続部９として雄型スナップボタン７のみを配置するようにしてもよいし、雌型スナップボタン８のみを配置するようにしてもよい。
【００５１】
また、本発明の実施形態では、服本体２に雄型スナップボタン７及び雌型スナップボタン８を格子状にならぶ格子点の配置となるように等間隔に配置しているが、格子点の配置となるように等間隔に配置することは必須ではない。
【００５２】
また、本発明の実施形態では、ポケット１に４つの接続部６を配置しているが、配置する接続部６が１〜３つであってもよいし、５つ以上の接続部６を配置してもよい。また、ポケット１の４つの接続部６を矩形状の頂点の配置にすることは必須ではない。
【００５３】
また、本発明の実施形態では、各取付部１１の配置パターンがＡ，Ｂ両方あるが、いずれか一方だけであってもよい。
【００５４】
また、本発明の実施形態では、衣服としてシャツ１０にポケット１を着脱させるようにしているが、衣服としてズボン等、その他のものにポケット１を着脱させるようにしてもよい。
【産業上の利用可能性】
【００５５】
本発明は、収容物を収容可能な収容袋及び収容袋を備えた衣服に適している。
【符号の説明】
【００５６】
１        ポケット（収容袋）
２        服本体
３        袋本体部
３ａ        収容部
４        表面部
４ａ        意匠面
５        裏面部
５ａ        意匠面
６        接続部
７        雄型スナップボタン（係合部）
８        雌型スナップボタン（被係合部）
９        被接続部
９Ａ        第１列
９Ｂ        第２列
１０        シャツ（衣服）
１１        取付部
１１Ａ        第１パターン部
１１Ｂ        第２パターン部
【図１】
2020125555.tif 000003
【図２】
2020125555.tif 000004
【図３】
2020125555.tif 000005
【図４】
2020125555.tif 000006
【図５】
2020125555.tif 000007
【図６】
2020125555.tif 000008
【図７】
2020125555.tif 000009
【図８】
2020125555.tif 000010
【図９】
2020125555.tif 000011